(57)【特許請求の範囲】
【請求項１】
家屋等の開口口を区画する枠体に対し蝶番を介して回転可能に配設された扉体を閉止する扉体閉止装置であって、
前記扉体の、前記蝶番が取着された側端とは反対側に位置するところの取手が取着された側端の上方部に当該扉体が閉成方向に回転を開始してから所定の閉成角に達した時に装置本体に係合する被ガイド部材を取り付ける一方、前記枠体のうちの、前記被ガイド部材に対応する上枠体の端部位置に前記装置本体を取り付け、
この装置本体は、
その軸部が前記装置本体に回動可能に支持され、その軸部から第１腕部及び第２腕部が突設された回動片と、
この回動片の回動に連動し、前記係合した被ガイド部材の、前記扉体の閉成・開成に伴う移動を可能にするガイド部を備えたアームと、
前記係合前は前記回動片の第１腕部に、前記被ガイド部材との係合が可能な前記所定の閉成角に適応した角度位置に前記アームを保持するための付勢力を与える一方、前記係合後は前記回動片の第１腕部に、前記アームを前記扉体の閉成方向に回転させるための付勢力を与えるスプリングと、
前記係合前は前記回動片の第２腕部に作用を及ぼさない直動式の緩衝装置と、
を備え、
前記緩衝装置は、
前記係合後の前記扉体の閉成時には前記回動片の第２腕部に作用して前記扉体の閉成を減速させて前記扉体を閉止させ、
前記係合後の前記扉体の開成時には前記回動片の第２腕部に作用して前記扉体の開成を助長させることを特徴とする扉体閉止装置。
【請求項２】
前記アームが開成方向のモーメントを受け、前記回動片の第２腕部と、前記緩衝装置の作用力が及ぶように設けられたスライダとの当接対象部位が当該スライダの傾斜面側に移り、閉成方向のモーメントのみが前記回動片に作用することにより、前記扉体が閉止されることを特徴とする請求項１に記載の扉体閉止装置。
【請求項３】
前記装置本体には、前記スプリングの付勢力を調整するための調整手段が備えられてなることを特徴とする請求項１又は２に記載の扉体閉止装置。
【請求項４】
前記アームは、略長方形の薄平板状の部材で、この部材の一方面側に、前記被ガイド部材の摺動子が出入りする開口口を備えた前記ガイド部が当該部材の長手方向の中心線に沿って前記開口口が設けられた端部から当該部材の略中央付近までのところに設けられる一方、この部材の他方面側の、前記開口口が設けられた端部とは反対側の端部寄りに前記回動片に連結される連結軸を有する取付台が突設され、
前記取付台は、前記装置本体の上面側に設けられた上嵌合孔又はこの上嵌合孔と同心をなして前記装置本体の下面側に設けられた、前記上嵌合孔と同一形状の下嵌合孔のいずれかに緩嵌されてなることを特徴とする請求項１〜３のいずれかに記載の扉体閉止装置。
【発明の詳細な説明】
【技術分野】
【０００１】
本発明は、家屋等に配設された扉体の開閉に際して、当該扉体を自動的に、且つ、静粛に閉止させるための扉体閉止装置に関するものである。
【背景技術】
【０００２】
家屋等の開口口を区画する枠体に対して回転可能に配設された扉体を、当該扉体の閉止直前に減速して静かに閉止させるようにした扉体閉止装置は、従来から存在する（特許文献１）。
このような扉体閉止装置１００は、図８に示すように、扉体Ａに取り付けられる装置本体１０１と、家屋等の開口口を区画する枠体のうちの上枠体Ｂに取り付けられるブラケット１０２とで構成され、装置本体１０１は、扉体Ａの裏面上方で、ヒンジ１０３が取着された側端に近いところに取り付けられ、また、ブラケット１０２は、装置本体１０１が取り付けられた位置に対応して、上枠体Ｂの、ヒンジ１０３が取着された縦枠体Ｃの方に近いところに取り付けられている。
そして、本扉体閉止装置１００においては、装置本体１０１のアーム１０４のアーム本体１０５に設けられたガイド溝１０５ａにブラケット１０２のピン１０２ａが係合する前においては、図９（Ａ）に示すように、アーム１０４の支持部１０６に設けられた突条部１０６ａには、スプリング１０７により付勢されたスライダ１０８の突起１０８ａが当接しており、このためアーム１０４は、同図中の矢印で示す反時計回り方向のモーメントを受ける一方、その支持部１０６の円弧状縦板１０６ｂの側縁端が、緩衝機構１１０が取り付けられるケース体１０９のボス（図示せず）あるいは緩衝機構１１０のフランジ１１０ａに当接し、当該ストッパ壁から時計回り方向のモーメントを受ける。したがって、アーム１０４は、同図に示すようなブラケット１０２のピン１０２ａとの係合が可能な所定閉成角に適応した角度位置に保持されることになる。更に、扉体Ａを同図中の矢印方向に閉成して行くと、アーム１０４のガイド溝１０５ａにブラケット１０２のピン１０２ａが係合するべく同図に示すようなガイド溝１０５ａの開口口がピン１０２ａの位置に達する状態となる。
【０００３】
ガイド溝１０５ａにピン１０２ａが係合した後は、扉体Ａの、図９（Ｂ）中の矢印方向の閉成に従ってピン１０２ａがガイド溝１０５ａに沿う態様で相対移動し始めると、アーム１０４が同図中の矢印で示す時計回り方向に回転し始めると同時に、アーム１０４の突条部１０６ａに対するスライダ１０８の当接部位が、その突起１０８ａ位置からその閉塞端面位置に変わるため、アーム１０４は、同図中の矢印で示す時計回り方向のモーメントを受ける。かかるモーメントを受けてアーム１０４が回転し始めるとともに扉体Ａが同図の矢印方向に自動的に回転して行き、図９（Ｃ）のように閉止される。しかるに、上述したアーム１０４の回転に際しては、この回転速度がアーム１０４の回転軸に作用する緩衝機構１１０により減速されるので、扉体Ａの閉成に際し当該扉体Ａの回転も減速されて緩やかになる。このため、扉体Ａが戸当り（図示せず）に勢いよく衝突して衝撃音などが発せられる不具合を生ずることもなく静粛に閉止される。
尚、扉体Ａの閉成後に、当該扉体Ａを図９（Ｃ）中の矢印方向に開成して行くと、ブラケット１０２のピン１０２ａがアーム１０４のガイド溝１０５ａに沿って相対移動する一方、アーム１０４は、スプリング１０７の付勢力に抗しつつ同図中の矢印で示す反時計回り方向に回転して行き、図９（Ａ）に示す状態になったところで当該アーム１０４のガイド溝１０５ａとブラケット１０２のピン１０２ａとの係合が外れるが、この外れた位置で上述のようにして所定閉成角に適応した角度位置に保持される。
【０００４】
しかしながら、上述した扉体閉止装置のように、緩衝機構１１０が取り付けられた装置本体１０１を、扉体Ａの裏面上方で、ヒンジ１０３が取着された側端に近いところに取り付け、また、ブラケット１０２を、これに対応して、上枠体Ｂの、ヒンジ１０３が取着された縦枠体Ｃの方に近いところに取り付ける構成を採ると、閉成に際して扉体Ａが静粛に閉止されるという目的は達成することができるが、扉体Ａの開成に際しては、装置本体１０１を、扉体Ａの裏面上方で、ヒンジ１０３が取着された側端とは反対側の側端に近いところに取り付け、ブラケット１０２を、これに対応して、上枠体Ｂの、縦枠体Ｄの方に近いところに取り付ける場合に比べて、当該扉体Ａの取手に加える力を大きくしなければならず、しかも、大きな力を作用させなければならないことによってヒンジに掛かる負荷が大きくなってしてしまう問題がある。
加えて、上述した扉体閉止装置において用いられている緩衝機構１１０は、ロータリー式のもので、アーム１０４の回転軸には、常に当該回転軸の回転に抗する力が作用する構造をなし、このため上述のような問題が生じてしまう一因ともなり、加えて、アーム１０４の回転時の所望時期、例えば扉体Ａの開成時にアームの回転を助長するように設定することが困難な構造となってしまう問題がある。
また、緩衝機構１１０をロータリー式のものにすると、一般に形状が大きくなり、したがって、これが取り付けられる装置本体１０１は大型化し、そのため上枠体Ｂのような幅狭い部位に装置本体１０１を取り付けることが困難となり、上述のように装置本体１０１を扉体Ａ側に、また、ブラケット１０２を上枠体Ｂに取り付けるタイプのものにならざるを得ず、見栄えの良好なタイプのものにするのを困難ならしめている。
【特許文献１】特開２００７−１２０１４０（第４〜８頁、第１，４〜６図）
【発明の開示】
【発明が解決しようとする課題】
【０００５】
解決しようとする問題点は、装置本体に取り付ける緩衝機構を直動式タイプのものとすることによりコンパクト化して、装置本体を家屋等の開口口を区画する枠体への取付けを可能にし、しかも、この枠体のうちの上枠体の、ヒンジが取着された縦枠体とは反対側の縦枠体の方に近いところに取り付けることにより、扉体の開成に際して当該扉体の取手に加える力を大きくすることなくその開成を可能とし、更に、加える力を軽減するために、扉体の開成に際して緩衝機構を、扉体の開成に連動するアームの回転を助長するように設定が行えるものとする点である。
【課題を解決するための手段】
【０００６】
本発明の請求項１に係る扉体閉止装置は、家屋等の開口口を区画する枠体に対し蝶番を介して回転可能に配設された扉体を閉止する扉体閉止装置であって、前記扉体の、前記蝶番が取着された側端とは反対側に位置するところの取手が取着された側端の上方部に当該扉体が閉成方向に回転を開始してから所定の閉成角に達した時に装置本体に係合する被ガイド部材を取り付ける一方、前記枠体のうちの、前記被ガイド部材に対応する上枠体の端部位置に前記装置本体を取り付け、この装置本体は、その軸部が前記装置本体に回動可能に支持され、その軸部から第１腕部及び第２腕部が突設された回動片と、この回動片の回動に連動し、前記係合した被ガイド部材の、前記扉体の閉成・開成に伴う移動を可能にするガイド部を備えたアームと、前記係合前は前記回動片の第１腕部に、前記被ガイド部材との係合が可能な前記所定の閉成角に適応した角度位置に前記アームを保持するための付勢力を与える一方、前記係合後は前記回動片の第１腕部に、前記アームを前記扉体の閉成方向に回転させるための付勢力を与えるスプリングと、前記係合前は前記回動片の第２腕部に作用を及ぼさない直動式の緩衝装置と、を備え、前記緩衝装置は、前記係合後の前記扉体の閉成時には前記回動片の第２腕部に作用して前記扉体の閉成を減速させて前記扉体を閉止させ、前記係合後の前記扉体の開成時には前記回動片の第２腕部に作用して前記扉体の開成を助長させることを特徴とする。本装置によれば、装置本体に取り付ける緩衝装置を直動式タイプのものとすることによりコンパクト化して、装置本体を家屋等の開口口を区画する枠体に取付けることができるようになり、しかも、この枠体のうちの上枠体の、ヒンジが取着された縦枠体とは反対側の縦枠体の方に近いところに当該装置本体の取付け位置を設定しているので、扉体の開成に際して当該扉体の取手に加える力を大きくすることなくその開成が可能となり、更に、扉体の開成に際して緩衝装置を、扉体の開成に連動するアームの回転を助長するように回動片の第２腕部に作用させて、扉体の開成に際して当該扉体の取手に大きな力を加えずに済むようにできる。
【０００７】
本発明の請求項２に係る扉体閉止装置は、前記アームが開成方向のモーメントを受け、前記回動片の第２腕部と、前記緩衝装置の作用力が及ぶように設けられたスライダとの当接対象部位が当該スライダの傾斜面側に移り、閉成方向のモーメントのみが前記回動片に作用することにより、前記扉体が閉止されるもので、これにより、扉体の、ラッチ孔へのラッチの没入が保証されて確実な閉止状態を得ることができる。
【０００８】
本発明の請求項３に係る扉体閉止装置は、前記装置本体に、前記スプリングの付勢力を調整するための調整手段を備えるもので、これにより、緩衝装置の可動節の調整と相俟って、例えば扉体の閉成に際しての閉成速度を最適にするとか、また、扉体の開成に際しての当該扉体の取手を介して受けるスプリングの抗力を加減するとか、ができるようになる。
【０００９】
本発明の請求項４に係る扉体閉止装置において、前記アームは、略長方形の薄平板状の部材で、この部材の一方面側に、前記被ガイド部材の摺動子が出入りする開口口を備えた前記ガイド部が当該部材の長手方向の中心線に沿って前記開口口が設けられた端部から当該部材の略中央付近までのところに設けられる一方、この部材の他方面側の、前記開口口が設けられた端部とは反対側の端部寄りに前記回動片に連結される連結軸を有する取付台が突設され、前記取付台は、前記装置本体の上面側に設けられた上嵌合孔又はこの上嵌合孔と同心をなして前記装置本体の下面側に設けられた、前記上嵌合孔と同一形状の下嵌合孔のいずれかに緩嵌されるようにしたもので、これにより、右開き扉用としても左開き扉用としても兼用でき、設置作業に際しての使い勝手が向上する。
【発明の効果】
【００１０】
本発明の扉体閉止装置は、装置本体に取り付ける緩衝機構を直動式タイプのものとすることによりコンパクト化して、装置本体を家屋等の開口口を区画する枠体に取付けることができるようになり、しかも、扉体の、蝶番が取着された側端とは反対側に位置するところの取手が取着された側端の上方部に被ガイド部材を取り付ける一方、この被ガイド部材に対応する上枠体の端部位置に装置本体を取り付ける態様を採っているので、扉体の開成に際して当該扉体の取手に加える力を大きくすることなくその開成が可能となり、更に、扉体の開成に際して緩衝機構を、扉体の開成に連動するアームの回転を助長するように回動片の第２腕部に作用させて、扉体の開成に際して当該扉体の取手に大きな力を加えずに済むようにできる。
【発明を実施するための最良の形態】
【００１１】
本発明の実施の形態に係る扉体閉止装置を図１〜７を参照して説明する。但し、本装置は、所謂右開き用の扉体Ａに適用したものである。
本扉体閉止装置１は、図１に示すように、家屋等の開口口を区画する上枠体２及び縦枠体３，４のうちの縦枠体４に蝶番５を介して回転可能に配設された扉体Ａを、当該扉体Ａの閉止直前から減速して静かに閉止させることができることはもちろん、この扉体Ａの開成に際して当該扉体Ａの取手（図示せず）に大きな力を加えずに開成させることができる装置であり、上枠体２の端部で、縦枠体３寄りに位置するところに取り付けられる装置本体６と（図３も参照）、扉体Ａの裏面で、蝶番５が取着された側端とは反対側に位置するところの取手が取着された側端の上方部に装置本体６に対応して取り付けられる被ガイド部材７とで構成されている。
【００１２】
まず、このうちの本実施の形態に係る装置本体６を図２〜６を参照して説明する。
装置本体６は、図２に示すように、細長く薄平な略直方体形状を外観形成する外ケース本体８及び外ケース側板体９と、これら外ケース本体８及び外ケース側板体９内に内装される内ケース本体１０及び内ケース上板体１１とで構成され、そして、この内ケース本体１０内には、当該内ケース本体１０の、図２や図４，５では左端側隅に左固定ブロック１２が、また、右端側隅に右固定ブロック１３がそれぞれ配置され、これら固定ブロック１２，１３の間には、左固定ブロック１２の方に近接して回動自在に配設される回動片１４と、その一方側が上記回動片１４の第１腕部１４ａの小回転子２３に当接する第１スライダ１５と、このスライダ１５の他方側に設けられたスプリング座に着座し、当該スライダ１５を左固定ブロック１２側に付勢するスプリング１６と、このスプリング１６の付勢力を調整するために右固定ブロック１３に配設される調整手段１７とを備え、更に、その一方側が上記回動片１４の第２腕部１４ｂに当接するように設定される第２スライダ１８と、このスライダ１８の他方側に、本実施の形態では、その可動節１９ａが当接する一方、その固定節１９ｂが右固定ブロック１３に当接する態様でそれぞれ配置される２つの直動式のダンパー（緩衝機構）１９と、更にまた、上記回動片１４に連動して回動可能なように当該回動片１４に取り付けられるアーム２０とを備えている。
【００１３】
このような装置本体６の構成部材のうち、最初に内ケース本体１０及び内ケース上板体１１、並びにこれら内ケース本体１０及び内ケース上板体１１で形成される筐体内に配設される部材について説明する。
内ケース本体１０は、図２に示すように、上面側が開口した細長く薄平な中空の略直方体形状部材であり、この内ケース本体１０の下板１０ａには、当該下板１０ａの左端寄りのところに挿通穴（下嵌合孔）１０ａ６が設けられ、この挿通穴１０ａ６の穴周縁に沿う態様で、且つ、内ケース本体１０の内側に向けて短寸の軸受リング２１ａが突設され、また、この軸受リング２１ａから僅かに離隔したところから当該下板１０ａの長手方向に沿って略中央付近に至るところに所定間隔を空けて細長めの案内溝１０ａ１，１０ａ２がそれぞれ設けられている。更に、下板１０ａには、軸受リング２１ａとは反対側に位置する上記案内溝１０ａ１，１０ａ２の端部寄りで、且つ、これら案内溝１０ａ１，１０ａ２間の略中央付近に、この下板１０ａをコ字状に切欠くとともに切欠かれていない当該下板１０ａの長手方向に沿う部位を内ケース本体１０の内側に折曲してなる略正方形状の突起２２が立設され、また、上記案内溝１０ａ２の端部寄りのところから当該下板１０ａの右端寄りに至るところには、案内溝１０ａ２の中心線の延長線を隔てて略等距離のところに比較的大きめの位置決め溝１０ａ３，１０ａ４（但し、溝１０ａ４は図示されていない。）が設けられ、更に、下板１０ａの右端寄りのところで、上記案内溝１０ａ１の中心線の延長線上にその中心線が略一致する態様をなして比較的小さめの案内溝１０ａ５が設けられている。そして、内ケース本体１０の長尺の両側板１０ｂにおける上端部には、所定の間隔を空けて凸形状の突条１０ｂ１がそれぞれ設けられ、また、内ケース本体１０の短尺の両側板１０ｃにおける上端部中央には、凸形状の突条１０ｃ１が設けられ、これら側板１０ｃのうち内ケース本体１０の、図２や図４，５では右端側のものには逆Ｕ字形状の操作孔１０ｃ２が切り欠かれており、かかる操作孔１０ｃ２は、この逆Ｕ字形状の中心線が上記案内溝１０ａ５の中心線と垂直に交わるように切欠かれている。
尚、説明は割愛するが、下板１０ａに設けられている複数の大小の孔は、内ケース本体１０等を含む装置本体６を上枠体２に取り付けるためのボルト孔、或いは、内ケース本体１０に対する内ケース上板体１１や固定ブロック１２，１３の位置決めのためのピン孔である。
【００１４】
内ケース上板体１１は、内ケース本体１０の上面の板体として組み付けられる矩形状の薄平な板状の部材であり、内ケース上板体１１の挿通穴（上嵌合孔）１１ａが内ケース本体１０の挿通穴１０ａ６と同心をなし、且つ、同一穴径をなして対応する態様で、また、内ケース上板体１１の案内溝１１ｂ，１１ｃが内ケース本体１０の案内溝１０ａ１，１０ａ２と同一溝幅、同一溝長をなして対応する態様で、更に、内ケース上板体１１の案内溝１１ｄが内ケース本体１０の案内溝１０ａ５と同一溝幅、同一溝長をなして対応する態様で設けられている。尚、内ケース上板体１１においても、内ケース本体１０と同様に、挿通穴１１ａの穴周縁に沿う態様で、且つ、当該内ケース上板体１１の下面側に短寸の軸受リング２１ｂが突設されている。そして、内ケース上板体１１の長尺の両側辺には、内ケース本体１０の突条１０ｂ１に対応して凹形状の切欠溝１１ｅがそれぞれ設けられ、また、内ケース上板体１１の短尺の両側辺には、内ケース本体１０の突条１０ｃ１に対応して凹形状の切欠溝１１ｆがそれぞれ設けられ、更に、上記案内溝１１ｄにやや離隔して当該内ケース上板体１１の、図２では右端側の側辺近傍に当該側辺に沿う態様で、後述する調整手段１７の調整ねじ２６の鍔部２６ｂとの干渉防止のための切欠溝１１ｇが設けられている。
尚、説明は割愛するが、内ケース上板体１１に設けられている複数の大小の孔は、当該内ケース上板体１１等を含む装置本体６を上枠体２に取り付けるためのボルト孔、或いは、上述のようにこの内ケース上板体１１等の位置決めのためのピン孔である。
【００１５】
内ケース本体１０及び内ケース上板体１１で形成される筐体内に配設される部材のうち、まず、左固定ブロック１２は、細長めの横ブロック１２ａ及び太短めの横ブロック１２ｂとこれらブロック１２ａ，１２ｂを結合する縦ブロック１２ｃとからなる略コ字状の薄平なブロック部材であり、内ケース本体１０に配置されたときに、図４，５に示すように、当該左固定ブロック１２のコ字状空間に上記回動片１４の軸部１４ｃの一部が臨む態様をなし、横ブロック１２ａの先端寄りに設けられた傾斜面１２ａ１に回動片１４の回転により当該回動片１４の第１腕部１４ａが当接するように、更に、横ブロック１２ｂの先端面１２ｂ１に回動片１４の回転により当該回動片１４の第２腕部１４ｂが当接するように配置される。
尚、説明は割愛するが、左固定ブロック１２に設けられている二つの大小の孔は、当該左固定ブロック１２等を含む装置本体６を上枠体２に取り付けるためのボルト孔、及び当該左固定ブロック１２を内ケース本体１０に位置決めするためのピン孔である。
【００１６】
右固定ブロック１３は、大きめの横ブロック１３ａと縦ブロック１３ｂとからなる略Ｌ字状の薄平なブロック部材であり、横ブロック１３ａの、右固定ブロック１３が内ケース本体１０に配置されたときに当該内ケース本体１０の側板１０ｃに当接する側面からこの横ブロック１３ａの略中央部に至るところに当該横ブロック１３ａの長手方向の中心線に沿って調整手段１７が配設される溝穴１３ａ１が上面（内ケース本体１０に配置されたときに内ケース上板体１１と接する面）及び下面（内ケース本体１０に配置されたときに当該内ケース本体１０と接する面）に開口する態様で設けられる一方、この溝穴１３ａ１に連通する貫通孔１３ａ２が当該横ブロック１３ａの、上記側板１０ｃに当接する側面とは反対側の側面に開口する態様で設けられ、この貫通孔１３ａ２は、その中心軸が横ブロック１３ａに配設される調整手段１７の下記調整ブロック２５の中心軸と略一致する態様で設けられ、この貫通孔１３ａ２には、後述するように、調整手段１７の調整ブロック２５の進退により下記調整ブロック２５の円筒部２５ｂが出入り可能なようになっている。また、縦ブロック１３ｂの、右固定ブロック１３が内ケース本体１０に配置されたときに当該内ケース本体１０の側板１０ｃに当接する面とは反対側に位置する側面には、ダンパー１９の下記固定節１９ｂが当接するようになっている。
尚、説明は割愛するが、右固定ブロック１３に設けられている複数の大小の孔は、当該右固定ブロック１３等を含む装置本体６を上枠体２に取り付けるためのボルト孔、及び当該右固定ブロック１３を内ケース本体１０に位置決めするためのピン孔である。
【００１７】
回動片１４は、短尺の略円筒状で、且つ、この円筒の中央に略正方形状の角穴を有する上記軸部１４ｃと、この軸部１４ｃの円周から突設された先細り形状をなし、且つ、その先端が円弧形状をなす上記第１腕部１４ａ及びその先端の角部に面取りが施された略矩形状をなす第２腕部１４ｂとからなる部材で、第１腕部１４ａと第２腕部１４ｂは、両者の中心線が略９０゜をなすようにして突設されている。このような軸部１４ｃの上下面には、当該軸部１４ｃの軸径より小さい軸径で極短尺な円筒状をなし、この中央に当該軸部１４ｃの角穴に連通する角穴を有する小軸部１４ｃ１がそれぞれ突設されており（図２では、軸部１４ｃの上面側の小軸部１４ｃ１のみが描かれている）、上面側の小軸部１４ｃ１は、内ケース上板体１１の軸受リング２１ｂに、また、下面側の小軸部１４ｃ１は、内ケース本体１０の軸受リング２１ａにそれぞれ緩嵌される。更に、第１腕部１４ａの先端側には、小回転子２３が配設されるスリット１４ａ１が設けられる一方、このスリット１４ａ１を隔てて対峙する第１腕部１４ａの端片１４ａ２，１４ａ３には同心をなす貫通孔がそれぞれ設けられており、これら貫通孔に上記小回転子２３が軸着される短尺で小径のピン２４が嵌挿される。ところで、本実施の形態では、第１腕部１４ａに小回転子２３が配設される場合を説明したが、これに限ることはない。かかる小回転子２３を配設しない場合には、第１腕部１４ａが第１スライダ１５に直接当接するような態様となることはもちろんである。
【００１８】
第１スライダ１５は、薄平な略直方体形状部材で構成され、このスライダ１５の一方側（上記回動片１４の第１腕部１４ａの小回転子２３が当接する側）の側面１５ａには、内ケース本体１０に配設された当該スライダ１５を上方から視たときに当該スライダ１５の長手方向の中心線からはオフセット位置にある当該内ケース本体１０の長手方向の中心線寄りに頂点１５ａ１が設けられるとともに、この頂点から所定傾斜角をなす傾斜面１５ａ２，１５ａ３が設けられている（図４，５参照）。また、スライダ１５の上下面には、このスライダ１５の長手方向の中心線に沿って当該スライダ１５の一方側の側面１５ａから当該スライダ１５の略中央部付近に至るところに上記内ケース上板体１１の案内溝１１ｂ及び内ケース本体１０の案内溝１０ａ１に緩挿される細長なリブ１５ｂ１，１５ｂ２が突設され（但し、リブ１５ｂ２は図示されていない）、スライダ１５はこれら案内溝１１ｂ，１０ａ１に案内されて摺動するようになっている。更に、このスライダ１５の他方側の側面中央には、当該側面に開口口を有する有底の溝孔１５ｃが設けられている。
【００１９】
スプリング１６は所定のばね定数を有する一般的なコイルスプリングであり、このスプリング１６は、スライダ１５の溝孔１５ｃ及び右固定ブロック１３の貫通孔１３ａ２に挿入され、この両者間に架け渡される態様で介装されるとともに、この溝孔１５ｃの有底を一方のスプリング座とし、上記右固定ブロック１３の貫通孔１３ａ２に出入りする調整手段１７の下記調整ブロック２５の円筒部２５ｂにおける端面を他方のスプリング座として、スライダ１５に対し当該スライダ１５を左固定ブロック１２の方に付勢する力を付与するように介装される。
【００２０】
調整手段１７は、スプリング１６の付勢力を調整するための装置で、本実施の形態では、調整ブロック２５と調整ねじ２６とで構成されている。このうちの調整ブロック２５は、直方体部２５ａとこの直方体部２５ａの一方端面に連接される円筒部２５ｂとで構成され、この直方体部２５ａには、この長手方向の中心軸に沿って当該直方体部２５ａの他方端面に開口するねじ穴２５ａ１が設けられ、また、この円筒部２５ｂの、直方体部２５ａ寄りの周面上には、互いに１８０゜の位相角を隔ててなる短尺な角状リブ２５ｂ１，２５ｂ２がそれぞれ突設されている。一方、調整ねじ２６は、一方端面にドライバなどの操作溝を有する頭部２６ａと、この頭部２６ａの他方端面に連接された鍔部２６ｂと、この鍔部２６ｂに連接された、上記直方体部２５ａのねじ穴２５ａ１に螺合するねじ部２６ｃとで構成されている。
かかる調整手段１７は、右固定ブロック１３に組み付けられるときは、その調整ブロック２５の直方体部２５ａが溝穴１３ａ１における角状溝部１３ａ１１に摺動可能に、また、上述のように調整ブロック２５の円筒部２５ｂが貫通孔１３ａ２に出入り可能に組み付けられる。但し、調整ブロック２５のリブ２５ｂ１，２５ｂ２は、内ケース上板体１１の案内溝１１ｄ及び右固定ブロック１３の溝穴１３ａ１の下面に設けられた開口口を介して内ケース本体１０の案内溝１０ａ５にそれぞれ緩挿される。一方、調整手段１７の調整ねじ２６は、そのねじ部２６ｃが上述のように直方体部２５ａのねじ穴２５ａ１に螺合され、また、その鍔部２６ｂが溝穴１３ａ１における略半円状溝部１３ａ１２に嵌入される。このとき、調整ねじ２６の頭部２６ａは、当該頭部２６ａの、操作溝が施された面が右固定ブロック１３の縦ブロック１３ｂの表面と略一致するような態様となる。このような調整手段１７においては、調整ねじ２６を回動すると調整ブロック２５が進退するようになるので、スプリング１６の付勢力を調整することができる。
【００２１】
第２スライダ１８は、薄平な略正方体形状部材で構成され、このスライダ１８の一方側（上記回動片１４の第２腕部１４ｂが当接する側）の側面１８ａには、内ケース本体１０に配設された当該スライダ１８を上方から視たときに当該スライダ１８の側面１８ａはその摺動方向と直交する幅方向の略中心線付近から所定傾斜角をなす傾斜面１８ａ１が設けられている（図４，５参照）。かかる傾斜面１８ａ１は、後に詳述するように、回動片１
４の回転がある時点に達してから、回動片１４の第２腕部１４ｂに当該スライダ１８を介してダンパー１９からの抗力が作用しなくなるようにするために設定されたものである。そして、このスライダ１８の他方側の側面１８ｂには、上述のように２つのダンパー１９の可動節１９ａがそれぞれ当接する。更に、このスライダ１８の上下面には、このスライダ１８の、当該スライダ１８を上方から視て側面１８ａと側面１８ｂ間を結ぶ中心線に沿って上記内ケース上板体１１の案内溝１１ｃ及び内ケース本体１０の案内溝１０ａ２に緩挿される細長なリブ１８ｃ１，１８ｃ２がそれぞれ突設され（但し、リブ１８ｃ２は図示されていない）、スライダ１８は、これら案内溝１１ｃ，１０ａ２に案内されて摺動するようになっている。
【００２２】
ダンパー１９は、所定のダンピング係数を有する緩衝装置で、進退可能な可動節１９ａと、この可動節１９ａを出没可能とする、例えばシリコン油などの粘性流体が封入された固定節１９ｂとから構成される直動式タイプのもので構成され、これにより、装置本体６をコンパクト化して家屋等の開口口を区画する枠体に取付けることができるようにしている。ダンパー１９が内ケース本体１０に組み付けられるときは、その固定節１９ｂを内ケース本体１０の位置決め溝１０ａ３，１０ａ４（但し、溝１０ａ４は図示されていない）や突起２２で位置決めするとともに、上述のように右固定ブロック１３の縦ブロック１３ｂに当接させる一方、可動節１９ａをスライダ１８の側面１８ｂに当接させて当該スライダ１８に当該ダンパー１９の作用力が及ぶように組み付ける。ダンパー１９は、スプリング１６と並列に配置される。ところで、本実施の形態では、ダンパー１９を２つ並列に配置して用いた場合を説明したが、これに限ることなく仕様によっては、例えば当該ダンパー１９を３つ以上を配置するようにしても、或いは、当該ダンパー１９より容量の大きいダンパーを１つ配置するようにしてもよい。
【００２３】
アーム２０は、略長方形の薄平な板状の部材で、且つ、本実施の形態では、図１や図３に示すような、当該部材の長手方向の中心線に沿う断面が円錐台状をなしており、この円錐台状の上面側に上底面（アームの一方面（図２では、裏面側となる面）２７が形成され、この円錐台状の下面側に下底面（アームの他方面（図２では、表面側となる面）２８が形成され、この円錐台状の母線により所定傾斜をなす傾斜面２７ｄが形成される。そして、上底面２７側には、この上底面２７の一端部側中央に段付き孔２７ａが設けられる一方、この上底面２７のもう一端部側には、開口端に近づくほど開口幅が拡大する開口口２７ｂが設けられ、この開口口２７ｂから当該アーム２０の略中央付近までのところに当該アーム２０の長手方向の中心線に沿って被ガイド部材７の摺動子３１が摺動するガイド溝（ガイド部）２７ｃが設けられている（図３参照）。また、この下底面２８の、開口口２７ｂが設けられた上底面２７の端部とは反対側の端部寄りに取付台２８ａが突設されており、この取付台２８ａは、上記段付き孔２７ａの中心に一致させて短尺な径大の円筒状をなす径大嵌合軸２８ａ１、そして、この嵌合軸２８ａ１上により短尺な径小の円筒状をなす径小嵌合軸２８ａ２、更に、この嵌合軸２８ａ２上に短尺な角状の連結軸２８ａ３がこの順に積み上げられて固着され、これら嵌合軸２８ａ１，２８ａ２及び連結軸２８ａ３の中心部には、取付ボルト２９が螺合するねじ孔が刻設されている。
このアーム２０を回動片１４の回動に連動するように組み付ける場合には、この回動片１４が内ケース本体１０に配設され、且つ、この内ケース本体１０が外ケース本体８内に挿入される構造となっているので、取付台２８ａの嵌合軸２８ａ１を後述するケース本体８の挿通穴８ｂ１（但し、挿通穴８ｂ１は図示されていない）に、また、取付台２８ａの嵌合軸２８ａ２を内ケース本体１０の軸受リング２１ａに、また、取付台２８ａの連結軸２８ａ３を回動片１４の軸部１４ｃの角穴及び小軸部１４ｃ１の角穴にそれぞれ緩嵌させ、しかる後に、取付ボルト２９を、アーム２０の上底面２７側から取付台２８ａの嵌合軸２８ａ１，２８ａ２及び連結軸２８ａ３のねじ孔に螺着させればよい。このとき、取付ボルト２９は、その頭部が段付き孔２７ａに埋設される態様となる一方、取付ボルト２９のねじ部の先端が回動片１４の小軸部１４ｃ１側から突出されることなく螺着される（図３参照）。
【００２４】
次に、外ケース本体８及び外ケース側板体９について説明する。外ケース本体８は、長手方向の一方側面側が開口した細長く薄平な中空の略直方体形状部材であり、この部材には上述した内ケース本体１０及び内ケース上板体１１で形成される筐体が収納される。そして、この外ケース本体８の上板体８ａ及び下板体８ｂには、内ケース上板体１１の挿通穴１１ａ及び内ケース本体１０の挿通穴１０ａ６に対応する態様で挿通穴（上嵌合孔）８ａ１及び挿通穴（下嵌合孔）８ｂ１がそれぞれ設けられ（但し、図２では、挿通穴８ａ１のみが描かれている）、内ケース上板体１１の案内溝１１ｄ及び内ケース本体１０の案内溝１０ａ５に対応する態様で案内溝８ａ２及び案内溝８ｂ２がそれぞれ設けられている（但し、図２では、案内溝８ａ２のみが描かれている）。尚、この案内溝８ａ２及び案内溝８ｂ２の近傍には、スプリング１６の付勢力調整の便宜を図るために図２及び図３に示すような目盛がそれぞれ刻印されている。更に、この外ケース本体８の開口口に臨む上板体８ａの長辺端部に所定間隔を空けて角状の切欠部８ａ３，８ａ４が、また、下板体８ｂの長辺端部に所定間隔を空けて角状の切欠部８ｂ３，８ｂ４が設けられ、これら切欠部８ａ３と切欠部８ｂ３が、また、これら切欠部８ａ４と切欠部８ｂ４が互いに対向する態様で設けられている。更にまた、この外ケース本体８の、操作孔１０ｃ２が設けられた内ケース本体１０の側板１０ｃに対面する方の側板８ｃに、この操作孔１０ｃ２に対応する態様で円形状の操作孔８ｃ１が設けられている。尚、この上板体８ａ及び下板体８ｂに設けられている２つの孔は、当該外ケース本体８等を含む装置本体６を上枠体２に取り付けるためのボルト孔である。
【００２５】
外ケース側板体９は、外ケース本体８の側面の板体として組み付けられる長方形状の薄平な板状部材であり、この外ケース側板体９の裏面の両長辺端部に、外ケース本体８の切欠部８ａ３，８ａ４に対応して係止爪９ａ１，９ａ２が突設され、また、外ケース本体８の切欠部８ｂ３，８ｂ４に対応して係止爪９ａ３，９ａ４が突設されており、これら係止爪９ａ１等を切欠部８ａ３等に係止させることにより、図２中の参考図にあるような外ケース本体８及び外ケース側板体９で形成される筐体が組み立てられる。そして、このようにして組み立てられた筐体に、上述のようにして筐体内の回動片１４と筐体外のアーム２０を取付ボルト２９で以って連結することにより装置本体の組み立てが完了する（図３参照）。
【００２６】
次に、本実施の形態に係る被ガイド部材７を図１及び図６，７を参照して説明する。
被ガイド部材７は、外観が平面視略二等辺三角形状をなす小ブロック部材３０からなり、この二等辺三角形状の底辺に相当する部位が扉体Ａに取り付けられる一方、この二等辺三角形状の頂点に相当する部位近傍に設けられた挿通孔（図示せず）には、その最下端部にストップリング３２が嵌着された細長な円筒状の摺動子３１が緩挿されている。かかる摺動子３１は、当該摺動子３１に外力が作用していないときは、その上端部分がこの挿通孔内に介装されるスプリング（図示せず）の付勢力によりブロック部材３０の上面３０ａから突出し、そのストップリング３２がブロック部材３０の下面３０ｂに係止される状態となるが、当該摺動子３１に外力が作用すると、当該摺動子３１はスプリングの付勢力に抗して押し下げられ、そのストップリング３２の上記係止が解除される状態となる（図７参照）。
【００２７】
次に、本扉体閉止装置１の動作のしかたを図４〜６を参照して説明する。
説明の都合上、最初に本装置１の動作の概略を図６を参照して説明する。
図１のような装置本体６と被ガイド部材７との係合がなされていない状態で扉体Ａが開成されているときは、装置本体６のアーム２０は、被ガイド部材７の摺動子３１との係合が可能な所定の閉成角に適応した角度位置に保持されている。この状態から扉体Ａの取手を把持して閉成していくと、扉体Ａが本装置１の閉止動作の直前、即ち、図６（Ａ）に示す位置（本実施の形態では同図中の１５゜ぐらいの角度位置）に達したときに、摺動子３１がアーム２０のガイド溝２７ｃに係合し始め、これ以降は、摺動子３１の、アーム２０のガイド溝２７ｃに沿う相対移動に同期して、扉体Ａは、後述するように、自動的に、且つ、たとえ大きな閉成速度が与えられていても減速され静かに閉止されて図６（Ｂ）の状態になる。逆に、図６（Ｂ）の状態から図６（Ａ）の状態を経て扉体Ａを開成するときは、扉体Ａの取手を把持しラッチを外してから当該取手に力を加えればよい。このとき、上述したように、装置本体６及び被ガイド部材７の取付位置により扉体Ａの取手に加える力を大きくすることなく扉体Ａの開成が可能となり、更に、後述するようにダンパー１９の、アーム２０の回転を助長する作用により扉体Ａの取手に加える力を軽減できる。
【００２８】
次に、本装置１の、上述の図６に示す動作を可能にならしめるしくみを図４，５を参照して説明する。但し、図４，５において扉体Ａや被ガイド部材７は図示されていない。
図４（Ａ）は、図６（Ａ）と同じ、本装置１の閉止動作の直前の状態を示しており、装置本体６のアーム２０が、被ガイド部材７の摺動子３１との係合が可能な所定の閉成角に適応した角度位置に保持されている状態を示している。このとき、回動片１４は、当該回動片１４の小回転子２３がスライダ１５の傾斜面１５ａ２側で当該スライダ１５と当接し、当該スライダ１５を介してスプリング１６から、図４（Ａ）において時計回り方向のモーメントを受ける一方、当該回動片１４の第２腕部１４ｂが左固定ブロック１２の先端面１２ｂ１に当接し、当該左固定ブロック１２から反時計回り方向のモーメントを受けるので、アーム２０が、上記所定の閉成角に適応した角度位置に保持される。一方、ダンパー１９は、本実施の形態では、スライダ１８を介してその第２腕部１４ｂに力を及ぼせしめないように設定されている。
【００２９】
そして、図４（Ａ）の状態から本装置１に閉止動作を開始させるために扉体Ａを閉成すべく取手に力を加えてやると、回動片１４は、当該回動片１４の小回転子２３がスライダ１５の頂点１５ａ１を乗り越えて傾斜面１５ａ３側で当該スライダ１５と当接する状態、即ち、図４（Ｂ）の状態となる。この状態になると、回動片１４は、スライダ１５を介して付与されるスプリング１６の付勢力（かかる付勢力は、調整手段１７により適宜調整できる。）により、図４（Ｂ）において反時計回り方向のモーメント（同図中の矢印方向Ａ１）を受けるようになるため、アーム２０もまた反時計回り方向のモーメント（同図中の矢印方向Ａ２）を受け、これにより扉体Ａが更に自動的に閉成されて行く。このとき、ダンパー１９は、第２スライダ１８の側面１８ａを回動片１４の第２腕部１４ｂに当接させ、第２スライダ１８を介して回動片１４に時計回り方向のモーメントを付与するので、回動片１４の反時計回り方向の回転速度は抑制されて減速される。しかるに、回動片１４が回転して図５（Ａ）の状態に達すると、図５（Ｂ）の状態に至るまで、回動片１４は、上述同様にスプリング１６の付勢力により反時計回り方向のモーメントを受け続け、これによりアーム２０もまた反時計回り方向のモーメントを受け続けるが、この回動片１４の第２腕部１４ｂのスライダ１８との当接対象部位が当該スライダ１８の傾斜面１８ａ１側に移るので、この回動片１４には当該スライダ１８を介してダンパー１９からの抗力が作用しなくなり、回動片１４が反時計回りのモーメントを受けるようになる。これにより、反時計回り方向のモーメントのみが回動片１４に作用することになるため、扉体Ａの、ラッチ孔へのラッチの没入が保証されて確実な閉止状態を得ることができる。
【００３０】
図５（Ｂ）の状態にあるときは、回動片１４は、上述したように図５（Ｂ）において反時計回り方向のモーメントを受ける一方、当該回動片１４の第１腕部１４ａが左固定ブロック１２の傾斜面１２ａ１に当接し、当該左固定ブロック１２から時計回り方向のモーメントを受けて釣合うので、扉体の閉止状態が保持される。
【００３１】
図５（Ｂ）の状態から図４（Ａ）の状態にして扉体Ａを開成するときは、扉体Ａの取手を把持してラッチを外し当該取手に、回動片１４にスライダ１５を介して付与されるスプリング１６の付勢力（かかる付勢力は、調整手段１７により適宜調整できる。）に抗する力を加えればよい。このときの加える力は、上述したように装置本体６及び被ガイド部材７の取付位置が採用された装置１においては従来と比べて軽減することができ、しかも、ダンパー１９がスライダ１８を介して回動片１４の第２腕部１４ｂに当接し、当該回動片１４に図５（Ａ）において時計回り方向のモーメント（同図中の矢印方向Ｂ１）を付与するようになるため、アーム２０もまた時計回り方向のモーメント（同図中の矢印方向Ｂ２）を付与される。これにより、アーム２０の時計回り方向の回転が助長されるように作用するので、扉体Ａに加える力を更に軽減できる。
尚、扉体Ａの開成が進行して、装置本体６のアーム２０と被ガイド部材７の摺動子３１との係合が外れると、アーム２０が、摺動子３１との係合が可能な所定の閉成角に適応した角度位置に保持されることはもちろんである。
【００３２】
次に、図７を参照して、上記所定の閉成角に適応した角度位置に保持されていた装置本体６のアーム２０ついて、何らかの原因で上記角度位置が変わってしまう場合もあり、このような場合においてのアーム２０を上記角度位置に復帰させるやり方を説明する。
本装置１においては、上記角度位置が変わってしまっても、図７（Ａ）に示すように扉体Ａを矢印方向に移動させて（実際には扉体Ａを閉成させて）、換言すれば、被ガイド部材７を装置本体６に近づけて被ガイド部材７の摺動子３１をアーム２０の傾斜面２７ｄに当接させ、更に、当接させたまま扉体Ａを矢印方向に移動させると、図７（Ｂ）に示すように、ブロック部材３０の上面３０ａから突出していた摺動子３１は、アーム２０からの力を受け、被ガイド部材７に介装されたスプリングの付勢力に抗して押し下げられ、押し下げられた相当量だけ当該摺動子３１の下端部分がブロック部材３０の下面３０ｂから突出する。そして、このような当接状態を維持しつつ扉体Ａを更に矢印方向に移動させ続けると、図７（Ｃ）に示すように、摺動子３１がアーム２０のガイド溝２７ｃに緩挿される。このとき、下面３０ｂからの摺動子３１の突出部分はスプリングの付勢力により挿通孔に没入され、これに伴いストップリング３２が下面３０ｂに係止される。
このように一旦摺動子３１をアーム２０のガイド溝２７ｃに緩挿させた状態にしてから扉体Ａを開成させると、上述した図７（Ｃ）の状態を経て開成が進行するので、装置本体６のアーム２０と被ガイド部材７の摺動子３１との係合が解除された後は、アーム２０が、摺動子３１との係合が可能な所定の閉成角に適応した角度位置に保持され、アーム２０が上記角度位置に復帰される。
【００３３】
ところで、本実施の形態のように右開き用の扉体Ａに対しては、装置本体６の外ケース本体８の下板体８ｂ側にその取付台２８ａを介してアーム２０が取り付けられるようにしたものであったが、本装置１においては、左開き用の扉体に対しても、このアーム２０を装置本体６の外ケース本体８の上板体８ａ側に当該アーム２０の取付台２８ａを介して取り付けることで対応できる。具体的には、アーム２０において、取付台２８ａの径大嵌合軸２８ａ１をケース本体８の挿通穴８ａ１に、また、取付台２８ａの径小嵌合軸２８ａ２を内ケース上板体１１の軸受リング２１ｂに、また、取付台２８ａの連結軸２８ａ３を回動片１４の軸部１４ｃの角穴及び小軸部１４ｃ１の角穴にそれぞれ緩嵌させ、しかる後に、取付ボルト２９を、アーム２０の上底面２７側から取付台２８ａの嵌合軸２８ａ１，２８ａ２及び連結軸２８ａ３のねじ孔に螺着させることで対応できる。したがって、本装置１は、右開き扉用としても左開き扉用としても兼用できるので、設置作業に際しての使い勝手の向上が図れる。
【産業上の利用可能性】
【００３４】
本発明の扉体閉止装置は、装置本体に取り付ける緩衝装置を直動式タイプのものとすることにより装置本体のコンパクト化が図られており、そのためスペースの狭い枠体に取付けることができる装置構造としている点で、また、緩衝装置を、扉体の閉成に際しては当該扉体の閉成速度を減速して静かに閉止するように作用させる一方、扉体の開成に際しては当該扉体の取手に大きな力を加えずに済むように作用させる装置構造としている点で、この種の装置として広く一般的に利用されるものと言える。
【図面の簡単な説明】
【００３５】
【図１】本発明の実施の形態に係る扉体閉止装置の取付状態を示す図である。
【図２】図１の扉体閉止装置の装置本体の分解斜視図である。
【図３】図１の装置本体を下方から視た斜視図である。
【図４】図１の扉体閉止装置の動作を上方から視た動作説明図である。
【図５】図４の動作の続きで、図１の扉体閉止装置の動作を上方から視た動作説明図である。
【図６】図１の扉体閉止装置の動作を下方から視た動作説明図である。
【図７】図１の扉体閉止装置の復帰動作説明図である。
【図８】従来の扉体閉止装置の取付状態を示す図である。
【図９】図８の扉体閉止装置の動作説明図である。
【符号の説明】
【００３６】
１                    扉体閉止装置
２                    上枠体
６                    装置本体
７                    被ガイド部材
８ａ１                            挿通穴（上嵌合孔）
８ｂ１                            挿通穴（下嵌合孔）
１０ａ６                        挿通穴（下嵌合孔）
１１ａ                挿通穴（上嵌合孔）
１４                  回動片
１４ａ                第１腕部
１４ｂ                第２腕部
１６                  スプリング
１７                  調整手段
１９                  ダンパー（緩衝装置）
２０                  アーム
２７ｂ                開口口
２７ｃ                ガイド部
２８ａ                取付台
２８ａ１，２８ａ２        嵌合軸
２８ａ３                        連結軸
３１                  摺動子
Ａ                    扉体
【図１】
0005248917.tif 000002
【図２】
0005248917.tif 000003
【図３】
0005248917.tif 000004
【図４】
0005248917.tif 000005
【図５】
0005248917.tif 000006
【図６】
0005248917.tif 000007
【図７】
0005248917.tif 000008
【図８】
0005248917.tif 000009
【図９】
0005248917.tif 000010